(57)【要約】【課題】ケープ本体と後布を分離できる用にしてケープ本体と後布の首回り部を洗いやすくして衛生的にできるとともに後布あるいは後布を交換できるようにした洗髪用ケープを提供する。【解決手段】被洗髪者の首から下を覆うケープ本体１と、ケープ本体１の首回り部３に止着される被洗髪者の首筋を覆う後布２からなる洗髪用ケープにおいて、ケープ本体１の首回り部３の周囲と、後布２の首回り部３の周囲とにそれぞれ、ケープ本体１と後布２を止着するための止着用面テープが縫合されている。【選択図】図１
0003103445.tif 000002
【実用新案登録請求の範囲】
【請求項１】
被洗髪者の首から下を覆うケープ本体１と、ケープ本体１の首回り部３に止着される被洗髪者の首筋を覆う後布２からなる洗髪用ケープにおいて、
ケープ本体１の首回り部３の周囲と、後布２の首回り部３の周囲とにそれぞれ、ケープ本体１と後布２を止着するための止着用面テープが縫合されていることを特徴とする洗髪用ケープ。
【請求項２】
ケープ本体１及び後布２の首回り部３の上縁と止着用面テープ６の上縁が逆Ｕ字形のバイヤステープ７で挟まれて縫合され、さらに止着用面テープ６とケープ本体１が折り曲げられてケープ本体１の裏側で止着用面テープ６が起立した状態でバイヤステープ７の中間が縫合されていることを特徴とする請求項１記載の洗髪用ケープ。
【考案の詳細な説明】
【技術分野】
【０００１】
本考案は、散髪店や美容室で洗髪の際に使用する洗髪用ケープに関する。
【背景技術】
【０００２】
散髪店や美容室では、洗髪の際に水やシャンプーが被洗髪者の衣服を濡らすのを防止するために、被洗髪者の首から下を覆う洗髪用ケープが利用され、各種の洗髪用ケープが提案されている（特許文献１参照）。
【０００３】
図３は従来の洗髪用ケープの一例を示す図である。図３において、洗髪用ケープは、被洗髪者の首から下を囲んで覆うケープ本体１と、首の後から首筋を覆い洗面台のボール内に垂らすケープ本体１より小さい後布２とからなり、ケープ本体１の円形の首回り部３に後布２の円形の首回り部３を重ねて縫合されている。また、首回り部３の端部には被洗髪者の首に装着した首回り部３を止着するために、両端に装着用面テープ４が設けられている。
【０００４】
洗髪用ケープは、被洗髪者の首に円形の首回り部３を回してケープ本体１の端を重ねて首から下を覆い、首回り部３の面テープ４で止着した後、被洗髪者の頭を洗面台のボールの上で仰向けにさせ、後布２をボールに垂らして洗髪する。
【特許文献１】特開平１１−３１８５６１号公報
【考案の開示】
【考案が解決しようとする課題】
【０００５】
従来の洗髪用ケープは、ケープ本体１と後布２の円形の首回り部３は縫合されているためにしわが寄って襞５が形成されている。そのため、首回り部３の襞５の部分は完全に洗うのが難しく雑菌が繁殖し易くなり、衛生的でないという欠点がある。
【０００６】
また、後布２は毛染め後の洗髪などで色落ちにより汚れやすく消耗が激しく、後布２が汚くなれば、ケープ本体１はきれいであっても洗髪用ケープ全部を破棄しなくてはならないので不経済であった。
【０００７】
そこで、本考案は、ケープ本体と後布を分離できる用にしてケープ本体と後布の首回り部を洗いやすくして衛生的にできるとともに後布あるいは後布を交換できるようにした洗髪用ケープを提供するものである。
【課題を解決するための手段】
【０００８】
本考案の洗髪用ケープは、被洗髪者の首から下を覆うケープ本体１と、ケープ本体１の首回り部３に止着される被洗髪者の首筋を覆う後布２からなる洗髪用ケープにおいて、ケープ本体１の首回り部３の周囲と、後布２の首回り部３の周囲とにそれぞれ、ケープ本体１と後布２を止着するための止着用面テープが縫合されていることを特徴とする。
【０００９】
前記構成において、ケープ本体１及び後布２の首回り部３の上縁と止着用面テープ６の上縁が逆Ｕ字形のバイヤステープ７で挟まれて縫合され、さらに止着用面テープ６とケープ本体１が折り曲げられてケープ本体１の裏側で止着用面テープ６が起立した状態でバイヤステープ７の中間が縫合されている。
【考案の効果】
【００１０】
本考案は、ケープ本体と後布が分離できるので、首回り部の洗濯、洗浄が容易に且つ確実にできるので、首回り部の雑菌の繁殖を防止することができ衛生的となる。
【００１１】
汚れやすい後布が消耗すれば、後布を交換するだけで済み、ケープ本体はそのまま利用できるので経済的となる。また、ケープ本体と後布の色、柄を組み合わせることにより、染色毛用、自然毛用等の用途に区別して使用することにより、洗髪用ケープを経済的に効率よく利用することができる。
【考案を実施するための最良の形態】
【００１２】
図１（ａ）は本考案による洗髪用ケープのケープ本体の正面図、（ｂ）は後布の正面図、（ｃ）はケープ本体に後布を止着した状態を示す図である。本考案の洗髪用ケープは、被洗髪者の首から下を覆うケープ本体１と、ケープ本体１の首回り部３に止着される被洗髪者の首筋を覆う後布２からなる。
【００１３】
図１（ａ）、（ｂ）において、ケープ本体１の円形の首回り部３の周囲と後布２の円形の首回り部３の周囲とにはそれぞれ、ケープ本体１及び後布２を止着するための止着用面テープ６が縫合されている。ケープ本体１及び後布２の生地は従来の洗髪用ケープに使用されている撥水製の生地を使用する。ケープ本体１の首回り部３の端部には被洗髪者の首に装着した首回り部３を止着するために、装着用面テープ４が設けられている。図１（ｃ）に示すように、ケープ本体１の止着用面テープ６に後布２の止着用面テープ６を止着して洗髪用ケープとして使用する。
【００１４】
図２の（ａ）〜（ｄ）は本考案による洗髪用ケープの首回り部における面テープの縫合手順を示す図である。ケープ本体と後布の面テープの縫合手順は同じなので、ケープ本体を例に説明する。
【００１５】
図２（ａ）に示すように、ケープ本体１の首回り部３の上縁と止着用面テープ６の上縁を逆Ｕ字形のバイヤステープ７で挟み、図２（ｂ）に示す状態に縫合する。
【００１６】
次いで、止着用面テープ６とケープ本体１を図２（ｂ）に示す矢印方向に折り曲げケープ本体１の裏側で止着用面テープ６を起立させた後、図２（ｃ）に示すようにバイヤステープ７の中間を縫合する。図２（ｄ）は、図２（ｃ）の状態を止着用面テープ６面側から見た図である。同様にして、後布２の首回り部３にも止着用面テープ７を縫合し、ケープ本体１の首回り部と止着できるようにする。
【００１７】
本考案では、ケープ本体１と後布２の首回り部３にバイヤステープ７で止着用面テープ７を縫合し、さらに折り曲げて縫合するので、首回り部に水やシャンプーが隙間から入り込むことはない。
【００１８】
本考案の洗髪用ケープを洗濯する場合は、ケープ本体１から後布２を分離し、ケープ本体１と後布２を別々に洗濯することにより、確実に洗濯、洗浄が可能となる。
【図面の簡単な説明】
【００１９】
【図１】（ａ）は本考案による洗髪用ケープのケープ本体の正面図、（ｂ）は後布の正面図、（ｃ）はケープ本体に後布を試着した状態を示す図である。
【図２】（ａ）〜（ｄ）は本考案による洗髪用ケープの首回り部における面テープの縫合手順を示す図である。
【図３】従来の洗髪用ケープの一例を示す図である。
【符号の説明】
【００２０】
１：ケープ本体
２：後布
３：首回り部
４：装着用面テープ
５：襞
６：止着用面テープ
７：バイヤステープ
【図１】
0003103445.tif 000003
【図２】
0003103445.tif 000004
【図３】
0003103445.tif 000005